(57)【要約】【課題】      結束材のみならず、被服材料や手芸材料としても広く利用でき、被服などにおいては見栄えが悪くなるというような悪影響を与えたりせずに使用できるような形状保持体を提供する。【解決手段】  芯材１１と鞘糸とからなる形状保持体１であり、芯材１１は線状またはテープ状の塑性変形性プラスチック材料からなり、鞘糸は内側被覆糸１２と外側被覆糸１３とからなり、内側被覆糸１２および外側被覆糸１３が捲縮嵩高加工糸であり、それぞれ１５００Ｔ／ｍ以上の撚数で芯材１１に巻付けられて、芯材１１を被覆していることを特徴とする。【選択図】    図１
2006348424.tif 000002
【特許請求の範囲】
【請求項１】
芯材と鞘糸とからなる形状保持体であり、前記芯材は線状またはテープ状の塑性変形性プラスチック材料からなり、前記鞘糸は内側被覆糸と外側被覆糸とからなり、前記内側被覆糸および外側被覆糸が捲縮嵩高加工糸であり、それぞれ１５００Ｔ／ｍ以上の撚数で前記芯材に巻付けられて、芯材を被覆していることを特徴とする形状保持体。
【請求項２】
前記芯材が直径０．４ｍｍ以上の線状の塑性変形性プラスチック材料であることを特徴とする請求項１記載の形状保持体。
【請求項３】
前記芯材が厚みが０．２ｍｍ以上で幅が１ｍｍ以上のテープ状の塑性変形性プラスチック材料であることを特徴とする請求項１記載の形状保持体。
【請求項４】
中空スピンドルを上下２段に設けたカバリング装置により、芯材として線状またはテープ状の塑性変形性プラスチック材料を用い、該芯材を伸張せずに前記中空スピンドルの中空軸を通過させ、前記各中空スピンドルのボビンから捲縮嵩高加工糸からなる内側被覆糸および外側被覆糸を供給して、前記芯材に１５００Ｔ／ｍ以上の撚数で巻き付けることを特徴とする形状保持体の製造方法。
【発明の詳細な説明】
【技術分野】
【０００１】
本発明は被服や手芸に使用したり、結束材などに使用する形状保持体に関するものである。
【背景技術】
【０００２】
従来、折曲げたり捻ったりした場合に元の形状に戻らない塑性変形性が要求されるような結束材（例えば、食品を収納した袋の口を閉じるために使用するもの）などには針金が主に使用されていた。また、手芸などにおいては、造花などを作る場合、その茎の部分には針金に紙のテープを巻付けて茎としたものを使用したりしている。被服においては、形状の保持が必要なものには、針金などを経糸として織成して、その形状を保持するようにしたものなども知られている。
【０００３】
最近では、このような従来の針金に代わるものとして、ポリオレフィン系のプラスチックワイヤーが提案されている。例えば、特開昭６１−２８２４１６号公報（特許文献１）、特開平２−２９３４０７号公報（特許文献２）および特開平７−２３８４１７号公報（特許文献３）などが提案されている。このようなプラスチックワイヤーのものが実際に市販されたりしている。
【０００４】
また、特開２００３−２０５５６５（特許文献４）には芯材をそのまま使用するのではなく、熱融着性フィルムの間に熱可塑性樹脂からなる芯材を挟み込んで、外側の熱融着性フィルムを上下融着して心材を被覆した成形シートが開示されている。
【特許文献１】特開昭６１−２８２４１６号公報
【特許文献２】特開平２−２９３４０７号公報
【特許文献３】特開平７−２３８４１７号公報
【特許文献４】特開２００３−２０５５６５号公報
【発明の開示】
【発明が解決しようとする課題】
【０００５】
しかしながら、従来の針金や特許文献１、２および３に開示されているようなプラスチックワイヤーなどは、そのままの状態で使用することが多く、使用の範囲も限られている。例えば、マスクの中に入れる等のように、外から見えない状態で使用されていることが多い。また織物の中に針金を入れたものは針金が外から見えるので、他の糸と色が違ってしまったりして、見栄えの悪いという問題があった。
【０００６】
特許文献４に開示されている成形シートは、自動結束機などによりプラスチックワイヤーなどを捩って結ぶときに、そのままでは安定して結束できなかったので、熱可塑性樹脂からなるプラスチックワイヤーをシート状の熱融着性フィルムの間に挟持し熱融着性フィルムで被覆することにより自動結束機により安定して結束できるようにしたものである。しかし、このようなものは結束具を作るにはよいが、その形状（横断面を見ると心材の部分が膨らんでおりその左右に偏平な部分が拡がっている形状）や材質などのため利用範囲が限られる。また、成形シートの色合いは熱融着性フィルムの色により決まり、そして熱融着性フィルムの色を種々の色合い（特に淡い色合い等）を自由に変化させるのは、コストがかかったりして困難である。
【０００７】
本発明は、このような問題を解決し、結束材のみならず、被服材料や手芸材料としても広く利用でき、被服などにおいては見栄えが悪くなるというような悪影響を与えたりせずに使用できるような形状保持体を提供することを目的とするものである。
【０００８】
また、本発明は種々の色合いの形状保持体を容易に製造できるような製造方法を提供することを目的とするものである。
【課題を解決するための手段】
【０００９】
本発明は芯材と鞘糸とからなる形状保持体であり、前記芯材は線状またはテープ状の塑性変形性プラスチック材料からなり、前記鞘糸は内側被覆糸と外側被覆糸とからなり、前記内側被覆糸および外側被覆糸が捲縮嵩高加工糸であり、それぞれ１５００Ｔ／ｍ以上の撚数で前記芯材に巻付けられて、芯材を被覆していることを特徴とする形状保持体により前記目的を達成する。
【００１０】
この場合、芯材として直径０．４ｍｍ以上線状の塑性変形性プラスチック材料や厚みが０．２ｍｍ以上で幅が１ｍｍ以上のテープ状の塑性変形性プラスチック材料を使用することが好ましい。
【００１１】
また、本発明は、中空スピンドルを上下２段に設けたカバリング装置により、芯材として線状またはテープ状の塑性変形性プラスチック材料を用い、該芯材を伸張せずに前記中空スピンドルの中空軸を通過させ、前記各中空スピンドルのボビンから捲縮嵩高加工糸からなる内側被覆糸および外側被覆糸を供給して、前記芯材に１５００Ｔ／ｍ以上の撚数で巻き付けることを特徴とする形状保持体の製造方法により前記目的を達成する。
【発明の効果】
【００１２】
本発明は塑性変形性のプラスチック材料を芯材としており、その上に捲縮嵩高加工糸からなる内側被覆糸および捲縮嵩高加工糸からなる外側被覆糸により二重に被覆しており、これらの被覆糸を１５００Ｔ／ｍ以上の撚数で芯材に巻付けて芯材を被覆しているため、芯材そのものが外部から見えないようになっている。そのため鞘糸として使用する被覆糸の色などを種々変化させることにより芯材の色（通常白）とは関係なく、種々の色合いの形状保持体とすることができる。このため、この本発明の形状保持体の使用範囲が極めて広範囲のものとなる。
【００１３】
本発明によれば、芯材を内側被覆糸と外側被覆糸とで二重に被覆しており、しかも１５００Ｔ／ｍ以上の撚数で覆っているので、被覆糸がずれたりしない。芯材が太いものでは内側被覆糸および外側被覆糸を２本引き揃えて巻き付けているので、より一層被覆糸がずれたりしない。
【００１４】
また、本発明によれば、上下２段に設けたカバリング装置により、芯材を伸張させずに中空スピンドルの中空軸を通過させて、その芯材に被覆糸を巻き付けているので、紙などを手で巻き付けたりするのと異なって、各種の色合いの形状保持体を簡単に製造することができる。
【発明を実施するための最良の形態】
【００１５】
以下、図面に示した実施例に基いて本発明を詳細に説明する。図１（ａ）は本発明の形状保持体の一実施例を示し、被覆糸を一部ほどいた状態で示している正面図であり、図１（ｂ）は（ａ）に示したものの断面を模式的に示した断面図である。
【００１６】
本発明の形状保持体１は芯材１１と内側被覆糸１２および外側被覆糸１３とから構成されているものである。芯材１１は線状またはテープ状の塑性変形性プラスチック材料からなるものである。線状の芯材は、余り細過ぎるとほんの僅かな力が掛かっても変形してしまい形状保持性が悪くなるので、直径が０．４ｍｍ以上のものを使用することが好ましい（なお、塑性変形性プラスチック材料が高密度ポリエチレンであるとして、直径０．４ｍｍの線状芯材はｄｔｅｘで換算すると約１２００ｄｔｅｘである）。また、テープ状の芯材は、厚みが０．２ｍｍ以上で幅が１ｍｍ以上のものを使用することが形状保持性の観点からして好ましい（なお、塑性変形性プラスチック材料が高密度ポリエチレンであるとして、厚みが０．２ｍｍで幅が１ｍｍのテープ状芯材は約１９００ｄｔｅｘである）。
【００１７】
形状保持性を有する塑性変形性プラスチックは前述した特許文献１、特許文献２あるいは特許文献３などに提案されているようなものである。また、線状の塑性変形性プラスチック材料としては、例えば、三井化学株式会社から「テクノロート」（登録商標）として市販されているものがある。テープ状の塑性変形性プラスチック材料としては、積水化学工業株式会社から「フォルテ」（登録商標）として市販されているものがある。本発明の芯材としては、このようなものを使用することができる。
【００１８】
内側被覆糸１２および外側被覆糸１３は何れも捲縮嵩高加工糸、例えばウーリーナイロン糸などを使用する。この場合、芯材１１が細い場合は捲縮嵩高加工糸１２、１３のデニールも細く、例えば７０デニール（約８０ｄｔｅｘ）以上でもよいが、芯材１１の直径が０．７ｍｍの場合などでは１４０デニール（約１５５ｄｔｅｘ）程度のものとすることが好ましい。芯材１１の直径がもっと太い場合は、もっと太いデニール数の捲縮嵩高加工糸１２、１３を使うことが好ましい。なお、１本の捲縮嵩高加工糸では希望のデニール数でなくとも、複数本の捲縮嵩高加工糸（例えば２本の捲縮嵩高加工糸）を引き揃えて希望のデニール数としてもよい。
【００１９】
芯材１１に対して内側被覆糸１２および外側被覆糸１３は、１５００Ｔ／ｍ（すなわち、１メーター当たり１５００回）以上の巻付数で巻き付けられている。この撚数は芯材１１の径が太くなるほど、メーター当りの巻付け回数を多くすることが好ましい。そのようにすることにより、芯材を完全に被覆し、しかも被覆糸をずれ難くすることができる。また、内側被覆糸１２および外側被覆糸１３はそれぞれ１本の糸であってもよいが、２本以上の糸を引き揃えた状態で巻き付けてもよい。特に、芯材１１の直径や幅が広い場合は、被覆糸１２、１３は２本以上引き揃えたものとしてこれを芯材に巻き付ける方が１本の糸を巻き付けるよりも、被覆糸がずれ難くなる。
【００２０】
次に、図２に基づいて本発明の形状保持体の製造方法について説明する。図２は中空スピンドルを上下２段に設けたカバリング装置を使用した実施例である。先ず、芯材１１を巻いたパッケージ１０から芯材１１を送り出す。芯材１１は、駆動ベルト２により駆動されている下段の中空スピンドル２０の中空軸２１の中を通過して走行し、中空スピンドル２０上に載置されたパッケージ２２から引出された内側被覆糸１２が巻き付けられ、更に走行して上段の中空スピンドル３０の中空軸３１の中を通過する。上段の中空スピンドル３０上に載置されたパッケージ３３から外側被覆糸１３が引出され、内側被覆糸１２が巻付けられた芯材１１の上に外側被覆糸１３が巻付けられて、本発明の形状保持体１となり、そして、駆動ローラ３で駆動されるパッケージ４０上に巻取られる。この場合、芯材１１はパッケージ１０から引出されてパッケージ４０に巻き取られるまで、走行速度は同じであって、伸張されたりせず、そのままの長さを維持した状態で走行させられる。
【００２１】
下段の中空スピンドル２０および上段の中空スピンドル３０はそれぞれ駆動装置２により駆動されているが、中空スピンドルの回転数は芯材１１の走行速度と関連して定められ、撚数が１５００Ｔ／ｍ以上となるような回転数で回転させられる。
【００２２】
パッケージ４０上に巻取られた形状保持体１は使用するのに適した長さに裁断して使用すればよい。本発明の形状保持体１の用途としては、例えば被服ではポケット口、衿、カフス、裾、前立て等の縁部に挿入または縫着して、縁部の形状を整えたり、縁部をフリル状に屈曲した状態に維持したりすることに使用できる。
【００２３】
本発明の形状保持体１は被覆糸の色を種々変化させることができるので、糸を衣服本体の色と合わせたり、逆に異なった色として、デザインに変化を付けることができる。
【００２４】
その他の用途としては、例えば、袋物、バッグ、履物、帽子などの一部に本発明の形状保持体を用いて、それらの形を整えたりするのに利用できる。また、本発明の形状保持体を主に用いて種々の形状の籠とか帽子などを作っても、面白いものを作ることができる。更に、従来から針金やプラスチックワイヤーが使用されているものに同様に使用することができる。
【実施例１】
【００２５】
芯材１１として三井化学株式会社の「テクノロート」直径０．７ｍｍのものを使用し、内側被覆糸としてウーリーナイロン（捲縮嵩高加工糸）７０デニールを２本撚合せて１本とした双糸（１４０デニール）を１本用いた。また、外側被覆糸として同じくウーリーナイロンの７０デニールを２本撚合せた双糸を１本使用した。そして下段のスピンドル回転数を１２０００ｒｐｍとした。そして上段スピンドル回転数を１００００ｒｐｍとした。この状態での撚数は１８００Ｔ／ｍであった。得られた製品は比較的細めの形状保持体であり、被服の縁取りの箇所などに使用して、フリルなどの形状を作ったり、手芸に使用するのに適した素材である。
【実施例２】
【００２６】
芯材として直径が１．１ｍｍの三井化学株式会社の「テクノロート」を使用した。内側被覆糸はウーリーナイロンの７０デニールを撚合せた双糸を１本（１４０デニール）使用した。外側被覆糸としてウーリーナイロンの７０デニールを２本撚合せた双糸を２本引き揃えたもの（２８０デニール）を使用した。そして下段のスピンドルの回転数を１２０００ｒｐｍ、上段の回転スピンドルを１２０００ｒｐｍとした。撚数は２５００Ｔ／ｍであった。
【００２７】
この製品では芯材の直径が実施例１のものよりも太かったが、外側被覆糸を２本引き揃えたことにより、製品において被覆糸がずれることがなかった。
【実施例３】
【００２８】
芯材として厚みが０．４ｍｍで幅が２．５ｍｍのテープ状の塑性変形性のプラスチック材料〔積水化学工業株式会社の「フォルテ」〕を使用した。内側被覆糸は７０デニールを２本撚合せて双糸としたものを２本引き揃えて使用した。また外側被覆糸として同じく７０デニールのウーリーナイロン糸を２本撚合せた双糸を２本引き揃えて使用した。下段のスピンドル回転数は１２０００ｒｐｍであり、上段のスピンドル回転数を１２０００ｒｐｍとした。この場合の撚数は３０００Ｔ／ｍであった。
【図面の簡単な説明】
【００２９】
【図１】（ａ）は本発明の形状保持体の一実施例を示す正面図であり、（ｂ）は模式的に示したその断面図である。
【図２】本発明の方法を実施するための装置の一実施例を示す正面図である。
【符号の説明】
【００３０】
１  形状保持体
１１  芯材
１２  内側被覆糸
１３  外側被覆糸
【図１】
2006348424.tif 000003
【図２】
2006348424.tif 000004